(57)【特許請求の範囲】
【請求項１】
エレベータの乗場に設けられ、エレベータ利用者が行先階の情報を入力する乗場行先階登録装置において、
複数の行先階を表示する行先階指定領域が表示され、乗場からの利用者による情報入力が可能なタッチセンサ機能を有するタッチパネルと、
前記タッチパネルへの入力情報に基づいて乗りかごの呼び登録を行う制御部と、
前記制御部に備えられ、利用者による前記タッチパネルへの接触を検出する接触検出部と、
前記制御部に備えられ、利用者による前記タッチパネルへの接触時間若しくは非接触時間の少なくとも一方を計測するタイマと、
前記制御部に備えられ、前記接触検出部によって検出された接触軌跡及び前記タイマによって計測された接触時間若しくは非接触時間に基づいて入力された情報を認識する情報入力認識部と、
前記タッチパネルに取り付けられ、前記制御部からアンサーバック信号を受信した場合に振動する振動モータと、
を備え、
前記情報入力認識部は、前記タッチパネルへの接触点が２点以上である場合に、文字入力の認識を開始し、
前記制御部は、利用者による情報入力が完了したと判断した場合に前記振動モータにアンサーバック信号を出力することを特徴とする乗場行先階登録装置。
【請求項２】
エレベータの乗場に設けられ、エレベータ利用者が行先階の情報を入力する乗場行先階登録装置において、
複数の行先階を表示する行先階指定領域が表示され、乗場からの利用者による情報入力が可能なタッチセンサ機能を有するタッチパネルと、
前記タッチパネルへの入力情報に基づいて乗りかごの呼び登録を行う制御部と、
前記制御部に備えられ、利用者による前記タッチパネルへの接触を検出する接触検出部と、
前記制御部に備えられ、利用者による前記タッチパネルへの接触時間若しくは非接触時間の少なくとも一方を計測するタイマと、
前記制御部に備えられ、前記接触検出部によって検出された接触軌跡及び前記タイマによって計測された接触時間若しくは非接触時間に基づいて入力された情報を認識する情報入力認識部と、
前記タッチパネルに取り付けられ、前記制御部からアンサーバック信号を受信した場合に振動する振動モータと、
を備え、
前記情報入力認識部は、前記タッチパネルへの接触点が２点以上である場合に、文字入力の認識を開始し、少なくとも１点が接触終了した後、所定時間経過した場合に文字入力が終了したものと判断し、
前記制御部は、利用者による情報入力が完了したと判断した場合に前記振動モータにアンサーバック信号を出力することを特徴とする乗場行先階登録装置。
【請求項３】
前記情報入力認識部は、前記タッチパネルに対する接触開始から接触終了までの間の始点と終点を結んだ軌跡が前記行先階指定領域内に収まっている場合、その行先階指定領域に表示されている行先階への登録があったものと認識する請求項１または２に記載の乗場行先階登録装置。
【発明の詳細な説明】
【技術分野】
【０００１】
本発明の実施形態は、エレベータの乗場に設置される乗場行先階登録装置に関する。
【背景技術】
【０００２】
近年、複数台のエレベータを群管理制御する場合、利用者の待ち時間を最小とする最適割当を行うためにエレベータの乗場には、利用者が自ら行先階を乗場で登録するための乗場行先階登録装置が設置されている。一般的には、この乗場行先階登録装置の行先階登録は機械式の押釦によるものが多い。
【０００３】
しかし、近年乗場行先階登録装置をビルの仕様や客先要求に対応させるため、乗場行先階登録装置の行先階の登録方法として機械的な押釦ではなく、タッチパネル式のものが採用されている。
【先行技術文献】
【特許文献】
【０００４】
【特許文献１】特開２００９−２４９０７２号公報
【発明の概要】
【発明が解決しようとする課題】
【０００５】
上記のようなタッチパネル式の乗場行先階登録装置が採用される場合、弱視者や視覚障がい者にとってはタッチパネル上に表示されている画面が見づらく、また、タッチパネルを操作した場合の操作認識確認動作、いわゆるアンサーバックがないため、操作性が低いものであった。
【０００６】
そこで本発明の実施形態は、視覚障がい者等であっても使用しやすいタッチパネル式の乗場行先階登録装置の提供を目的とする。
【課題を解決するための手段】
【０００７】
上記目的を達成するために、本発明の実施形態に係る乗場行先階登録装置は、複数の行先階を表示する行先階指定領域が表示され、乗場からの利用者による情報入力が可能なタッチセンサ機能を有するタッチパネルと、前記タッチパネルへの入力情報に基づいて乗りかごの呼び登録を行う制御部と、前記制御部に備えられ、利用者による前記タッチパネルへの接触を検出する接触検出部と、前記制御部に備えられ、利用者による前記タッチパネルへの接触時間若しくは非接触時間の少なくとも一方を計測するタイマと、前記制御部に備えられ、前記接触検出部によって検出された接触軌跡及び前記タイマによって計測された接触時間若しくは非接触時間に基づいて入力された情報を認識する情報入力認識部と、前記タッチパネルに取り付けられ、前記制御部からアンサーバック信号を受信した場合に振動する振動モータと、を備え、前記情報入力認識部は、前記タッチパネルへの接触点が２点以上である場合に、文字入力の認識を開始し、前記制御部は、利用者による情報入力が完了したと判断した場合に前記振動モータにアンサーバック信号を出力することを特徴とする。
【図面の簡単な説明】
【０００８】
【図１】本発明の実施形態に係る乗場行先階登録装置の設置を示す外観図である。
【図２】本発明の実施形態に係る乗場行先階登録装置を示す正面図である。
【図３】本発明の実施形態に係る乗場行先階登録装置の構成を示す縦断面図である。
【図４】本発明の実施形態に係る乗場行先階登録装置の操作を示す模式図である。
【図５】本発明の実施形態に係る乗場行先階登録装置の構成を示すブロック図である。
【発明を実施するための形態】
【０００９】
以下、本発明の実施形態について図面を参照して説明する。
【００１０】
図１に示すように、本実施形態においては複数のエレベータが群管理制御されており、各階のエレベータの乗場にはエレベータ利用者が乗りかごに乗降するための、複数の乗場ドア１が設置されている。また、乗場にて利用者が行先階を指定登録するための乗場行先階登録装置２が乗場ドア１側の建物壁３に設置される。なお、この乗場行先階登録装置２は各階の乗場に設置される場合や、基準階にのみ設置される場合などがある。また、乗場行先階登録装置２は乗場ドア１側の建物壁３に設置される場合だけでなく、乗場に独立して設置される場合などがある。
【００１１】
次に図２を用いて、乗場行先階登録装置２の建物壁３への取り付け及び構成について説明する。乗場行先階登録装置２は建物壁３に取り付けられる筐体４にタッチパネル５が取り付けられてなる。本実施形態においては、図２に示すように建物壁３に設けられた取付空間に筐体底４ａ方向からはめ込み、筐体底４ａ、筐体側面４ｂが埋め込まれるように取り付けられる。
【００１２】
そして、建物壁３と並行方向に筐体側面４ｂから延伸する筐体取付部４ｃによって、筐体４の埋め込み量が制限されて建物壁３に取り付けられる。なお、建物壁３と筐体４との固定方法は特に限定しないが、筐体側面４ｂと建物壁３及び、筐体取付部４ｃと建物壁３をそれぞれボルトなどの締結部材によって取付固定する。
【００１３】
また、図２に示すように、乗場行先階登録装置２の取り付けを縦断面でみた場合、筐体側面４ｂと筐体取付部４ｃの関係はＴ字型となっている。筐体取付部４ｃであって、建物壁３と取付固定されていない側の延伸部分にはゴムやバネなどの弾性部材６が備え付けられる。そしてタッチパネル５はこの弾性部材６を介して筐体４に取り付けられている。弾性部材６による取付方法は特に限定せず、タッチパネル５の四辺全てに取り付けられるものとしてもよいし、タッチパネル５と筐体４の一部に取り付けられるものとしてもよい。
【００１４】
タッチパネル５の裏側、すなわち乗場側に露出しない側にはタッチパネル５を振動させるための振動モータ７が設けられている。
【００１５】
次に図３を用いて乗場行先階登録装置２の表示画面について説明する。筐体４に取り付けられるタッチパネル５には、利用者による呼び登録への最適な割当号機を表示する乗車号機表示領域９と各行先階を表示する複数の行先階指定領域１０が表示される。行先階指定領域１０の数は建物の階床数などの建物仕様によって決められる。行先階が表示されている複数の行先階指定領域１０の中から利用者が希望する行先階を選択すると、最適な割当号機が乗車号機表示領域９に表示される。
【００１６】
次に図３、図５を用いて本実施形態に係る乗場行先階登録装置の作用について説明する。まず、一般利用者による図３に示す表示画面を利用した乗場行先階登録について説明する。
【００１７】
乗場にいる利用者は乗場行先階登録装置２に表示されている行先階指定領域１０の中から希望する行先階を選択する。タッチパネル５には入力電極がマトリックス状に配列されており、タッチセンサ１１を構成している。このタッチセンサ１１によって利用者がどの領域をタッチしたのかを判断し、利用者による操作情報が制御部１２に出力される。制御部１２は入力された操作情報からタッチパネル５に表示された行先階指定領域１０のうちどれが選択されたのかを把握する。
【００１８】
制御部１２が利用者による行先階選択完了の認識を行うのは、タッチパネル５に対する接触開始から接触終了までの間の始点と終点を結んだ軌跡が、その行先階指定領域１０の範囲内に収まっている場合に、その範囲における行先階への登録がなされたと認識する。登録の認識を終えると、制御部１２はアンサーバック信号として、振動指令を振動モータ７に出力し、振動モータ７を振動させる。この振動によって、利用者は自身の登録が正常に認識されたことがわかる。
【００１９】
そして、制御部１２は、利用者の呼び登録に対して最適な号機を応答させ、乗車号機表示領域９に応答させる最適な号機を表示させる。
【００２０】
次に、図４、図５を用いて弱視者などの視覚障がい者による乗場行先階登録について説明する。障がい者にとって、乗場行先階登録装置２に表示されている行先階は見づらく、操作しにくい。そこで、本実施形態に係る乗場行先階登録装置２はタッチパネル５上で直接指などによって文字入力を行うことができる構成を有する。
【００２１】
上述のようにタッチパネル５には入力電極がマトリックス状に配列されていることから、今回の文字入力の際にも、タッチパネル５に対する接触開始から接触終了までの間の始点と終点を結んだ軌跡の組み合わせ、及び接触時間や接触終了から次の接触開始までの時間間隔等によって、制御部１２はその文字入力内容を把握する。
【００２２】
このとき、既述のように一般利用者による行先階指定による呼び登録の認識を終えると制御部１２はアンサーバック信号として、振動指令を振動モータ７に出力し、振動モータ７を振動させるが、登録の完了を認識するのはタッチパネル５への接触が終了した後であることから、アンサーバック信号によって振動モータ７を振動させるときには、利用者の指はタッチパネル５上から離れていることになる。この場合、一般利用者は視覚的に乗車号機表示領域９に割当号機が表示されることにより、自身の呼び登録が認識されたことを確認することができるが、その一方で弱視者などの視覚障がい者にとっては、自身の登録が制御部１２側に認識されたのかを確認することが困難である。
【００２３】
したがって、本実施形態に係る乗場行先階登録装置２は、タッチパネル５に対して直接文字入力をする際には片手入力では文字入力受付不可とし、必ず文字入力が完了するときには、入力操作する指以外の指をタッチパネル５上に接触させておく構成とする。
【００２４】
すなわち、入力操作する指以外の指がタッチパネル５上に触れていることにより、アンサーバック信号による乗場行先階登録装置２の振動を受けることができ、自身の登録が認識されたことを触覚的に確認することができる。以下、具体的に説明する。
【００２５】
本実施形態に係る乗場行先階登録装置２は、利用者による文字入力を認識する条件として、常に文字入力操作をする指以外の指で、タッチパネル５の一部に触れていることを必要とすることとする。つまり図４に示すように、タッチパネル５上に文字入力などの操作をする指以外に画面上の一部に触れている場合に文字入力認識を行う。
【００２６】
文字入力の認識は、既述のようにタッチパネル５に対する接触開始から接触終了までの間の始点と終点を結んだ軌跡の組み合わせ、及び接触時間や接触終了から次の接触開始までの時間間隔等によって、制御部１２はその文字入力内容を把握する。
【００２７】
図５に示すように、まず制御部１２に備えられる接触検出部１３は、タッチセンサ１１からの信号によってタッチパネル５に対する接触開始から接触終了までの軌跡を検出する。また、接触終了から次の接触開始までの時間間隔を制御部１２に備えられるタイマ１４によって測定する。
【００２８】
制御部１２に備えられる情報入力識別部１５は接触検出部１３によって認識された接触軌跡とタイマ１４によって測定された時間間隔に基づいて、入力された文字を認識する。つまり、接触終了から所定時間経過した場合は、１文字の入力が終わったものとしてその接触軌跡から文字を認識する。一方、接触終了から所定時間以内にさらなる接触開始があった場合、１文字の入力が継続しているものとして、先ほどの接触開始から接触終了までの軌跡と、次の接触開始から接触終了までの軌跡とを合わせて文字認識を行う。すなわち、情報入力識別部１５は接触終了から接触開始までの時間間隔が所定時間以上経過するまでは、連続する１文字として文字認識を継続する。
【００２９】
そして、制御部１２は利用者による文字入力が完了したと判断した場合、振動モータ７にアンサーバック信号を出力し、振動モータ７を振動させる。
【００３０】
なお、操作をする指以外の指がタッチパネル５上に触れていたとしてもその場合、タッチパネル５への接触終了が確認されない限り文字入力とは認識されないため、誤操作を防止することができる。
【００３１】
以上のようにして、制御部１２はタッチパネル５上への接触継続がある一方で他のマトリックス領域でタッチパネル５への接触を認識した場合、文字入力を許可する。すなわち、文字入力操作する指以外の指でタッチパネル５の一部に触れていることが認識されると、文字入力操作が可能となる。また、振動モータ７を振動させることにより、利用者は自らの文字入力が正常に認識されたことを確認することができる。
【００３２】
なお、この文字入力を行う場合、特に表示画面のキャラクタを変更することなく、図３に示すような乗車号機表示領域９や行先階指定領域１０を表示させたまま、文字入力を行うことができる点でも有効である。
【００３３】
また、本実施形態に係る乗場行先階登録装置の構成によれば、文字入力を行う際に、文字入力を行う指以外にもタッチパネル５に接触させておく必要があるため、通常の呼び登録の際に誤って文字入力が認識される誤操作の防止にもつながる。
【００３４】
また、本実施形態においては、タッチパネル５に対して振動モータ７以外に振動計を取り付け、乗場行先階登録装置２への振動を検出する構成とすることもできる。
【００３５】
例えば、利用者がタッチパネル５に対して叩くなどの行為により振動を与え、その振動を振動計が検出する構成とする。このとき、例えば振動計によって検出される振動の大きさや振動回数などに応じた呼び登録を行うものとする。
【００３６】
この場合、予め制御部１２には、外部から乗場行先階登録装置２に対して与えられる振動の大きさや回数に対応した、行先階やエレベータの号機番号などを定めたテーブルが備えられる。例えば、基準階である１階に乗場行先階登録装置２が設置されている場合、利用者が乗場行先階登録装置２を３回叩いて衝撃を与えた場合、制御部１２は３階を行先階として呼び登録がなされたものと判断する。
【００３７】
以上のような構成とすることによって、弱視者などの視覚障がい者はタッチパネル５上に表示された行先階指定領域に関係なく、呼び登録を行うことができるため、従来のタッチパネル式の乗場行先階登録装置に比べて利便性が向上する。
【符号の説明】
【００３８】
１…乗場ドア
２…乗場行先階登録装置
３…建物壁
４…筐体
５…タッチパネル
６…弾性部材
７…振動モータ
９…乗車号機表示領域
１０…行先階指定領域
１１…タッチセンサ
１２…制御部
１３…接触検出部
１４…タイマ
１５…情報入力識別部
【図１】
0005770658.tif 000002
【図２】
0005770658.tif 000003
【図３】
0005770658.tif 000004
【図４】
0005770658.tif 000005
【図５】
0005770658.tif 000006